(57)【要約】【課題】伝送対象の情報を複数の伝送路に分配してシリアル伝送する情報伝送システムにおいて、１つのパケットのデータが同じ伝送路によりシリアル伝送される情報伝送システムを提供する。【解決手段】情報をシリアル伝送する複数の伝送路と、情報に基づいて複数のパケットを生成する生成手段、複数のパケットをシリアルデータとして送信する複数の送信手段、及び生成された複数のパケットを複数の送信手段にパケット単位で分配する分配手段、を備えた送信装置と、複数の伝送路を介して送信されたパケットを受信する複数の受信手段、及び受信された複数のパケットから情報を取得する取得手段、を備えた受信装置と、を有する情報伝送システム。【選択図】図２
2015001960.tif 000002
【特許請求の範囲】
【請求項１】
並列に設けられ各々が情報をシリアル伝送する複数の伝送路と、
送信対象の情報に基づいて複数のパケットを生成する生成手段、複数の伝送路の各々に対応して設けられ各々が複数のパケットをシリアルデータとして送信する複数の送信手段、及び生成された複数のパケットを複数の送信手段の各々にパケット単位で分配する分配手段、を備えた送信装置と、
複数の伝送路の各々に対応して設けられ各々が前記複数の伝送路を介して送信されたパケットを受信する複数の受信手段、及び前記複数の受信手段で受信された複数のパケットから送信対象の情報を取得する取得手段、を備えた受信装置と、
を有する情報伝送システム。
【請求項２】
前記送信手段において、複数のパケットの各々に誤り訂正符号を付加して送信し、
前記受信手段において、受信した複数のパケットの各々に対し誤り検出を行い、誤りが検出されたパケットのデータを復元する、
請求項１に記載の情報伝送システム。
【請求項３】
前記複数の送信手段は、前記分配手段と切り替え可能に接続され、
前記分配手段は、接続された送信手段に複数のパケットを分配する、  
請求項２に記載の情報伝送システム。
【請求項４】
並列に設けられ各々が情報をシリアル伝送する複数の伝送路と、
送信対象の情報の属性に応じて設けられ各々が送信対象の情報に基づいて複数のパケットを生成する複数の生成手段、複数の伝送路の各々に対応して設けられ各々が複数のパケットをシリアルデータとして送信する複数の送信手段、及び生成された複数のパケットを複数の送信手段の各々にパケット単位で分配する分配手段、を備えた送信装置と、
複数の伝送路の各々に対応して設けられ各々が前記複数の伝送路を介して送信されたパケットを受信する複数の受信手段、及び前記複数の受信手段で受信された複数のパケットから送信対象の情報を取得する取得手段、を備えた受信装置と、
を有する情報伝送システム。
【請求項５】
前記複数の生成手段は、前記分配手段と切り替え可能に接続され、
前記分配手段は、接続された生成手段から取得した複数のパケットを分配する、  
請求項４に記載の情報伝送システム。
【請求項６】
前記送信手段において、複数のパケットの各々に誤り訂正符号を付加して送信し、
前記受信手段において、受信した複数のパケットの各々に対し誤り検出を行い、誤りが検出されたパケットのデータを復元する、
請求項４又は請求項５に記載の情報伝送システム。
【請求項７】
前記複数の送信手段は、前記分配手段と切り替え可能に接続され、
前記分配手段は、接続された送信手段に複数のパケットを分配する、  
請求項４から請求項６までのいずれか１項に記載の情報伝送システム。
【発明の詳細な説明】
【技術分野】
【０００１】
本発明は、情報伝送システムに関する。
【背景技術】
【０００２】
PCI Expressの物理層は、送信すべきパケットを利用可能なレーンにバイト単位で振り分けるバイト・ストライピング機構を有する。また、特許文献１には、シリアルバスを仮想チャネル単位で時分割に使い分けて複数トラフィックのパケットデータを伝送する仮想チャネル手段と、前記仮想チャネル毎にパケットデータを発行する優先度を調停するアービトレーション手段とを有するデータ転送装置において、発行するパケットデータのペイロードサイズを前記仮想チャネル毎に指定するペイロードサイズ指定手段と、前記仮想チャネル毎に指定されたペイロードサイズのパケットデータを生成して前記アービトレーション手段に出力するパケット生成手段と、を備えることを特徴とするデータ転送装置が開示されている。
【先行技術文献】
【特許文献】
【０００３】
【特許文献１】特開２００６-９２２８６号公報
【発明の概要】
【発明が解決しようとする課題】
【０００４】
本発明の目的は、伝送対象の情報を複数の伝送路に分配してシリアル伝送する情報伝送システムにおいて、１つのパケットのデータが同じ伝送路によりシリアル伝送される情報伝送システムを提供することにある。
【課題を解決するための手段】
【０００５】
上記目的を達成するために、請求項１に記載の発明は、並列に設けられ各々が情報をシリアル伝送する複数の伝送路と、送信対象の情報に基づいて複数のパケットを生成する生成手段、複数の伝送路の各々に対応して設けられ各々が複数のパケットをシリアルデータとして送信する複数の送信手段、及び生成された複数のパケットを複数の送信手段の各々にパケット単位で分配する分配手段、を備えた送信装置と、複数の伝送路の各々に対応して設けられ各々が前記複数の伝送路を介して送信されたパケットを受信する複数の受信手段、及び前記複数の受信手段で受信された複数のパケットから送信対象の情報を取得する取得手段、を備えた受信装置と、を有する情報伝送システムである。
【０００６】
請求項２に記載の発明は、前記送信手段において、複数のパケットの各々に誤り訂正符号を付加して送信し、前記受信手段において、受信した複数のパケットの各々に対し誤り検出を行い、誤りが検出されたパケットのデータを復元する、請求項１に記載の情報伝送システムである。
【０００７】
請求項３に記載の発明は、前記複数の送信手段は、前記分配手段と切り替え可能に接続され、前記分配手段は、接続された送信手段に複数のパケットを分配する、請求項２に記載の情報伝送システムである。
【０００８】
請求項４に記載の発明は、並列に設けられ各々が情報をシリアル伝送する複数の伝送路と、送信対象の情報の属性に応じて設けられ各々が送信対象の情報に基づいて複数のパケットを生成する複数の生成手段、複数の伝送路の各々に対応して設けられ各々が複数のパケットをシリアルデータとして送信する複数の送信手段、及び生成された複数のパケットを複数の送信手段の各々にパケット単位で分配する分配手段、を備えた送信装置と、複数の伝送路の各々に対応して設けられ各々が前記複数の伝送路を介して送信されたパケットを受信する複数の受信手段、及び前記複数の受信手段で受信された複数のパケットから送信対象の情報を取得する取得手段、を備えた受信装置と、を有する情報伝送システムである。
【０００９】
請求項５に記載の発明は、前記複数の生成手段は、前記分配手段と切り替え可能に接続され、前記分配手段は、接続された生成手段から取得した複数のパケットを分配する、請求項４に記載の情報伝送システムである。
【００１０】
請求項６に記載の発明は、前記送信手段において、複数のパケットの各々に誤り訂正符号を付加して送信し、前記受信手段において、受信した複数のパケットの各々に対し誤り検出を行い、誤りが検出されたパケットのデータを復元する、請求項４又は請求項５に記載の情報伝送システムである。
【００１１】
請求項７に記載の発明は、前記複数の送信手段は、前記分配手段と切り替え可能に接続され、前記分配手段は、接続された送信手段に複数のパケットを分配する、請求項４から請求項６までのいずれか１項に記載の情報伝送システムである。
【発明の効果】
【００１２】
請求項１に記載の発明によれば、伝送対象の情報を複数の伝送路に分配してシリアル伝送する情報伝送システムにおいて、１つのパケットのデータが同じ伝送路によりシリアル伝送される。
【００１３】
請求項２、請求項６に記載の発明によれば、受信装置側で誤りが訂正され、誤りが検出された情報の再送が不要となる。
【００１４】
請求項３、請求項７に記載の発明によれば、使用する伝送路の数を増やすことで伝送速度が向上する。
【００１５】
請求項４に記載の発明によれば、送信対象の情報の属性に応じて複数の生成手段が設けられ、送信対象の情報を伝送する際の操作性が向上する。
【００１６】
請求項５に記載の発明によれば、送信対象の情報の属性毎に使用される生成手段の数が増減される。
【図面の簡単な説明】
【００１７】
【図１】本発明の第１の実施の形態に係る情報伝送システムの構成の一例を示す概略図である。
【図２】送信装置の構成の一例を示すブロック図である。
【図３】パケット構造の一例を示す模式図である。
【図４】（Ａ）から（Ｃ）は伝送路切替部の動作を説明するための模式図である。
【図５】複数のパケットが分配される様子を示す模式図である。
【図６】受信装置の構成の一例を示すブロック図である。
【図７】誤り訂正動作を説明するための模式図である。
【図８】第２の実施の形態に係る送信装置の構成の一例を示すブロック図である。
【図９】（Ａ）及び（Ｂ）は色毎に１つの伝送路を使用する場合の送受信動作を示す模式図である。
【図１０】（Ａ）及び（Ｂ）は色毎に２つの伝送路を使用する場合の送受信動作を示す模式図である。
【発明を実施するための形態】
【００１８】
以下、図面を参照して本発明の実施の形態について説明する。
【００１９】
＜第１の実施の形態＞
（情報伝送システム）
まず、本発明の実施の形態に係る情報伝送システムの概略構成について説明する。図１は本発明の第１の実施の形態に係る情報伝送システムの構成の一例を示す概略図である。図１に示すように、情報伝送システム１０は、情報を送信する送信装置１２と情報を受信する受信装置１４とを備えている。
【００２０】
送信装置１２と受信装置１４とは、並列に設けられた複数の伝送路１６で接続されている。複数並列化することによりデータ伝送の高速化が図られる。図示した例では、第１伝送路１６Ａ、第２伝送路１６Ｂ、第３伝送路１６Ｃ、及び第４伝送路１６Ｄの４つの伝送路で接続されている。以下、各伝送路を区別する必要がない場合は、伝送路１６と総称する。
【００２１】
各伝送路１６は、送信装置１２から受信装置１４へ情報をシリアル伝送するための伝送路である。各伝送路１６は、それぞれ２本の線路により構成され、差動信号が伝送される差動線路とされている。４つの伝送路は、８本の線路を束ねて外部から被覆を被せることで１本のケーブルとしてもよく、各伝送路１６の各々２本の線路を束ねて４本のケーブルとしてもよい。
【００２２】
（送信装置）
次に、送信装置１２の構成について説明する。図２は送信装置の構成の一例を示すブロック図である。図２に示すように、送信装置１２は、インターフェイス（Ｉ／Ｆ）２０、パケット生成部２２、伝送路切替部２４、及び複数の送信部２６を備えている。送信装置１２は、ＦＰＧＡ（Field Programmable Gate Array）、ＡＳＩＣ（Application Specific Integrated Circuit）、ゲートアレイなどの回路（ＩＣ：Integrated Circuit）により実装される。
【００２３】
複数の送信部２６の各々は、複数の伝送路１６の各々に対応して設けられている。図示した例では、第１伝送路１６Ａに情報を送信する第１送信部２６Ａ、第２伝送路１６Ｂに情報を送信する第２送信部２６Ｂ、第３伝送路１６Ｃに情報を送信する第３送信部２６Ｃ、及び第４伝送路１６Ｄに情報を送信する第４送信部２６Ｄが設けられている。以下、各送信部を区別する必要がない場合は、送信部２６と総称する。
【００２４】
Ｉ／Ｆ２０の出力側には、パケット生成部２２が接続されている。パケット生成部２２の出力側には、伝送路切替部２４が接続されている。伝送路切替部２４の出力側には、複数の送信部２６の各々が切り替え可能に接続されている。例えば、回路の再構成により、複数の送信部２６との接続を切り替える。或いは、スイッチ操作により、接続を切り替えてもよい。
【００２５】
パケット生成部２２は、Ｉ／Ｆ２０から伝送対象の情報を取得して、取得した情報からパケットを生成する。後述する通り、本実施の形態では、予め定めたパケット長Ｐ、データ長Ｄの固定長パケットを生成する。パケット生成部２２は、取得した情報をデータ長Ｄ以下の長さに分割し、分割個数に応じた複数のパケットを用意し、分割されたデータの各々を複数のパケットの各々に格納する。そして、複数のパケットの各々にヘッダを付加して、伝送路切替部２４に出力する。
【００２６】
伝送路切替部２４は、操作部（図示せず）からの設定に基づいて、パケット生成部２２と複数の送信部２６との接続を切り替える。伝送路切替部２４は、パケット生成部２２と少なくとも１つの送信部２６とを接続し、接続された送信部２６にパケットを出力する。パケット生成部２２と複数の送信部２６とが接続された場合には、複数の送信部２６にパケットが分配される。
【００２７】
パケット生成部２２と送信部２６との接続を切り替えることで、パケット生成部２２と伝送路１６との接続が切り替わる。従って、伝送路切替部２４は、パケット生成部２２と接続された伝送路１６にパケットを出力する。パケット生成部２２と複数の伝送路１６とが接続された場合には、複数の伝送路１６にパケットが分配される。
【００２８】
例えば、図４（Ａ）に示すように、パケット生成部２２と、第１送信部２６Ａ、第２送信部２６Ｂ、第３送信部２６Ｃ、及び第４送信部２６Ｄの各々とを接続する。この場合は、図５に示すように、複数のパケットＰ１からＰ８は、Ｐ１→第１送信部２６Ａ、Ｐ２→第２送信部２６Ｂ、Ｐ３→第３送信部２６Ｃ、Ｐ４→第４送信部２６Ｄ、Ｐ５→第１送信部２６Ａ、Ｐ６→第２送信部２６Ｂ、Ｐ７→第３送信部２６Ｃ、Ｐ８→第４送信部２６Ｄというように、４つの送信部２６の各々に順番に割り振られる。
【００２９】
同様に、図４（Ｂ）に示すように、パケット生成部２２と第１送信部２６Ａ及び第２送信部２６Ｂの各々とを接続した場合は、複数のパケットは２つの送信部２６（第１送信部２６Ａ及び第２送信部２６Ｂ）の各々に順番に割り振られる。更に、図４（Ｃ）に示すように、パケット生成部２２と第１送信部２６Ａとを接続した場合は、複数のパケットは第１送信部２６Ａにだけ出力される。
【００３０】
第１送信部２６Ａ、第２送信部２６Ｂ、第３送信部２６Ｃ、及び第４送信部２６Ｄの各々は、８Ｂ／１０Ｂエンコーダ３０、ＥＣＣエンコーダ３２、パラレル／シリアル（Ｐ／Ｓ）変換器３４、及び差動ドライバ３６を備えている。８Ｂ／１０Ｂエンコーダ３０は、伝送路切替部２４の出力側に接続されている。８Ｂ／１０Ｂエンコーダ３０の出力側には、ＥＣＣエンコーダ３２が接続されている。ＥＣＣエンコーダ３２の出力側には、Ｐ／Ｓ変換器３４が接続されている。Ｐ／Ｓ変換器３４の出力側には、差動ドライバ３６が接続されている。
【００３１】
８Ｂ／１０Ｂエンコーダ３０は、伝送路切替部２４から入力されたデータに対して８Ｂ／１０Ｂエンコードを行う。８Ｂ／１０Ｂエンコードは、８ビットの情報に対して、１０ビットのパターンを複数予め記憶しており、シリアルデータ上で１または０の均等なバランスとなるように変換するパターンを選択する。
【００３２】
ＥＣＣエンコーダ３２は、８Ｂ／１０Ｂエンコーダ３０でエンコードされたデータに基づいて誤り訂正符号（ＥＣＣ：Error Correcting Code）を算出し、算出したＥＣＣをパケットに付加する。ＥＣＣとしては、例えば、ハミング符号、マンチェスタ符号、リードソロモン符号等を用いてもよい。
【００３３】
Ｐ／Ｓ変換器３４は、ＥＣＣエンコーダ３２でエンコードされたデータを、シリアルのビット列に変換して差動ドライバ３６に出力する。差動ドライバ３６は、Ｐ／Ｓ変換器３４から入力されたデジタルのビット列を電気信号に変換して伝送路１６へ出力する。
【００３４】
（パケット構造）
ここで、パケットの構造について説明する。
図３はパケット構造の一例を示す模式図である。図３に示すように、パケット本体は、ヘッダ部とデータ格納部とを有する。データ格納部には、伝送対象の情報のデータが格納される。本実施の形態では、パケット長Ｔは固定長とされる。格納されるデータのデータ長Ｄ（最大の長さ）もまた、パケット長Ｔに応じて予め定められた固定長である。従って、伝送対象の情報はデータ長Ｄ以下の長さに分割される。
【００３５】
本実施の形態では、送信対象の情報を画像情報としてもよい。従来、画像形成装置と外部機器（コントローラ）との間の通信では、画像情報はパケット処理によりシリアル伝送されている。画像情報をシリアル伝送する場合には、パケット長Ｔ、データ長Ｄは固定長とされている。
【００３６】
画像情報に限らず、パケット長Ｔ、データ長Ｄを固定長とすれば、送信するパケットにパケットの開始を示すスタートパケット（ＳＴＰ：Start of Packet）を付加するだけでよく、パケットの終了を示すエンドパケット（ＥＮＤ）を付加する必要が無くなる。従って、本実施の形態では、パケット本体にＳＴＰとＥＣＣとが付加されて伝送路１６へ送出される。
【００３７】
（受信装置）
次に、受信装置１４の構成について説明する。図６は受信装置の構成の一例を示すブロック図である。図６に示すように、受信装置１４は、複数の受信部４０、伝送路切替部４２、パケット受信部４４、及びＩ／Ｆ４６を備えている。受信装置１４は、ＦＰＧＡ（Field Programmable Gate Array）、ＡＳＩＣ（Application Specific Integrated Circuit）、ゲートアレイなどの回路（ＩＣ：Integrated Circuit）により実装される。
【００３８】
複数の受信部４０の各々は、複数の伝送路１６の各々に対応して設けられている。図示した例では、第１伝送路１６Ａから情報を受信する第１受信部４０Ａ、第２伝送路１６Ｂから情報を受信する第２受信部４０Ｂ、第３伝送路１６Ｃから情報を受信する第３受信部４０Ｃ、及び第４伝送路１６Ｄから情報を受信する第４受信部４０Ｄが設けられている。以下、各受信部を区別する必要がない場合は、受信部４０と総称する。
【００３９】
伝送路切替部４２の入力側には、複数の受信部４０の各々が切り替え可能に接続されている。伝送路切替部４２の出力側には、パケット受信部４４が接続されている。パケット受信部４４の出力側には、Ｉ／Ｆ４６が接続されている。
【００４０】
第１受信部４０Ａ、第２受信部４０Ｂ、第３受信部４０Ｃ、及び第４受信部４０Ｄの各々は、差動レシーバ５０、シリアル／パラレル（Ｓ／Ｐ）変換器５２、ＥＣＣデコーダ５４、及び８Ｂ／１０Ｂデコーダ５６を備えている。差動レシーバ５０は、伝送路１６に接続されている。差動レシーバ５０の出力側には、Ｓ／Ｐ変換器５２が接続されている。Ｓ／Ｐ変換器５２の出力側には、ＥＣＣデコーダ５４が接続されている。ＥＣＣデコーダ５４の出力側には、８Ｂ／１０Ｂデコーダ５６が接続されている。８Ｂ／１０Ｂデコーダ５６の出力側には、伝送路切替部４２が接続されている。
【００４１】
差動レシーバ５０は、伝送路１６から受信される電気信号をデジタルのシリアルデータに変換する。Ｓ／Ｐ変換器５２は、差動レシーバ５０で変換されたシリアルデータをパラレルのビット列に変換して、ＥＣＣデコーダ５４に出力する。
【００４２】
ＥＣＣデコーダ５４は、パケット単位でＥＣＣに基づいて誤り検出を行う。ＥＣＣデコーダ５４は、図７に示すように、誤り検出を行う誤り検出部６０と、誤り訂正を行う誤り訂正部６２とを備えている。誤り検出部６０は、パケットに付加されたＥＣＣに基づいて誤り検出を行い、誤りの位置を示す誤り位置情報を誤り訂正部６２に出力する。誤り訂正部６２は、誤り検出部６０から誤り位置情報を取得した場合は、取得した誤り位置情報に基づいて誤り位置のデータを訂正する。これにより、送信されたパケットが復元される。８Ｂ／１０Ｂデコーダ５６は、ＥＣＣデコーダ５４でデコードされたデータに対して８Ｂ／１０Ｂデコードを行い、伝送路切替部４２に出力する。
【００４３】
伝送路切替部４２は、操作部（図示せず）からの設定に基づいて、複数の受信部４０とパケット受信部４４との接続を切り替える。複数の受信部４０とパケット受信部４４との接続を切り替えることで、伝送路１６とパケット受信部４４との接続が切り替わる。また、伝送路切替部４２は、接続された伝送路１６から受信したパケットを、送信された順番に並べ直してパケット受信部４４に出力する。
【００４４】
パケット受信部４４は、受信したパケットに格納されたデータを抽出し、伝送対象の情報をＩ／Ｆ４６に出力する。
【００４５】
本実施の形態では、伝送対象の情報を複数の伝送路に分配してシリアル伝送する場合でも、伝送対象の情報をパケット単位で複数の伝送路に分配するので、１つのパケットのデータが同じ伝送路によりシリアル伝送される。このため、従来のPCI Expressを用いたシリアル伝送システムに比べて、バイト・ストライピング機構及びバイト・アンストライピング機構が不要になる等、送信装置及び受信装置の構成が簡素化され、パケットデータの操作性が向上する。装置構成の簡素化は、製造コストの低減にも繋がる。
【００４６】
また、本実施の形態では、パケット毎にＥＣＣを付加し、ＥＣＣに基づいて受信側で誤り訂正を行うことにしたので、再送方式を採用する従来のPCI Expressを用いたシリアル伝送システムに比べて、伝送のリアルタイム性が保証され、伝送時間の短縮により生産性が向上する。また、再送用のデータを保持しておくメモリが不要になる等、送信装置の構成が更に簡素化される。
【００４７】
例えば、従来のPCI Expressを用いたシリアル伝送システムでは、パケット毎に誤り検出符号（ＣＲＣ：Cyclic Redundancy Check code）が付加されている。１つのパケットのデータは、バイト・ストライピング機構により複数のレーンにバイト単位で分配される。従って、１ビットでも誤りが発生すると、全レーンについてデータの再送要求を行う必要がある。また、送信装置が再送機能を備えない場合は、複数のレーンで同時に誤りが発生すると伝送が中断（ダウン）してしまう。
【００４８】
これに対し、本実施の形態では、伝送対象の情報をパケット単位で複数の伝送路に分配することに加えて、ＥＣＣに基づいて受信側で誤り訂正を行うので、１つの伝送路で誤りが発生しても、他の伝送路に影響を及ぼさない。即ち、複数の伝送路の伝送品質が独立に管理される。また、複数の伝送路で同時に誤りが発生しても、複数の伝送路の各々に対し独立に対処すれば済む。
【００４９】
更に、本実施の形態では、複数の伝送路が切り替え可能に接続されており、伝送路切替部により使用する伝送路の数を増減させてもよい。例えば、使用する伝送路の数を増やすことで伝送速度が向上する。
【００５０】
＜第２の実施の形態＞
第１の実施の形態では、送信装置１２が１つのＩ／Ｆ２０と１つのパケット生成部２２とを備え、受信装置１４が１つのパケット受信部４４と１つのＩ／Ｆ４６とを備える例について説明した。これに対し、第２の実施の形態では、送信装置１２Ａが複数のＩ／Ｆ２０と複数のパケット生成部２２とを備えると共に、受信装置１４Ａが複数のパケット受信部４４と複数のＩ／Ｆ４６とを備える。
【００５１】
図８は第２の実施の形態に係る送信装置の構成の一例を示すブロック図である。図８に示すように、送信装置１２Ａは、複数のＩ／Ｆ２０、複数のパケット生成部２２、伝送路切替部２４、及び複数の送信部２６を備えている。図示した例では、複数のＩ／Ｆ２０として、第１Ｉ／Ｆ２０Ａ、第２Ｉ／Ｆ２０Ｂ、第３Ｉ／Ｆ２０Ｃ、及び第４Ｉ／Ｆ２０Ｄが設けられている。なお、第１Ｉ／Ｆ２０Ａ、第２Ｉ／Ｆ２０Ｂ、第３Ｉ／Ｆ２０Ｃ、及び第４Ｉ／Ｆ２０Ｄの各々を区別する必要がない場合は、Ｉ／Ｆ２０と総称する。
【００５２】
また、図示した例では、複数のパケット生成部２２として、第１パケット生成部２２Ａ、第２パケット生成部２２Ｂ、第３パケット生成部２２Ｃ、及び第４パケット生成部２２Ｄが設けられている。なお、第１パケット生成部２２Ａ、第２パケット生成部２２Ｂ、第３パケット生成部２２Ｃ、及び第４パケット生成部２２Ｄの各々を区別する必要がない場合は、パケット生成部２２と総称する。
【００５３】
第１パケット生成部２２Ａは、第１Ｉ／Ｆ２０Ａの出力側に接続されている。第２パケット生成部２２Ｂは、第２Ｉ／Ｆ２０Ｂの出力側に接続されている。第３パケット生成部２２Ｃは、第３Ｉ／Ｆ２０Ｃの出力側に接続されている。第４パケット生成部２２Ｄは、第４Ｉ／Ｆ２０Ｄの出力側に接続されている。伝送路切替部２４の入力側には、複数のパケット生成部２２の各々が切り替え可能に接続されている。
【００５４】
第１の実施の形態との違いは、複数のＩ／Ｆ２０と複数のパケット生成部２２とが予めモジュールとして送信装置１２Ａに設けられており、伝送路切替部２４の入力側に切り替え可能に接続されている点である。第１の実施の形態では、使用する伝送路の数（送信装置の出力端子の数）を増減させるが、第２の実施の形態では、送信対象の情報の属性に応じて、Ｉ／Ｆ２０とパケット生成部２２との組の数（送信装置の入力端子の数）を増減させる。
【００５５】
なお、受信装置１４Ａの図示は省略するが、受信装置１４Ａは、複数の受信部４０、伝送路切替部４２、複数のパケット受信部４４（第１パケット受信部４４Ａ、第２パケット受信部４４Ｂ、第３パケット受信部４４Ｃ、第４パケット受信部４４Ｄ）、及び複数のＩ／Ｆ４６（第１Ｉ／Ｆ４６Ａ、第２Ｉ／Ｆ４６Ｂ、第３Ｉ／Ｆ４６Ｃ、第４Ｉ／Ｆ４６Ｄ）を備えるものである（図９及び図１０参照）。
【００５６】
上記の通り、Ｉ／Ｆ２０とパケット生成部２２との組の数は、送信対象の情報の属性に応じて増減させる。例えば、送信対象の情報がＹＭＣＫ形式で表される画像情報である場合に、Ｙ色、Ｍ色、Ｃ色、及びＫ色の各色について、Ｉ／Ｆ２０とパケット生成部２２との組を設けてもよい。
【００５７】
図９（Ａ）及び（Ｂ）は色毎に１つの伝送路を使用する場合の送受信動作を示す模式図である。図示した例では、第１Ｉ／Ｆ２０Ａと第１パケット生成部２２Ａとの組が設けられ、Ｙ色に対して使用される。第２Ｉ／Ｆ２０Ｂと第２パケット生成部２２Ｂとの組が設けられ、Ｍ色に対して使用される。第３Ｉ／Ｆ２０Ｃと第３パケット生成部２２Ｃとの組が設けられ、Ｃ色に対して使用される。第４Ｉ／Ｆ２０Ｄと第４パケット生成部２２Ｄとの組が設けられ、Ｋ色に対して使用される。即ち、４つの組が設けられ、設けられた４つの組が全部使用される。
【００５８】
伝送路切替部２４は、第１パケット生成部２２Ａと第１送信部２６Ａ、第２パケット生成部２２Ｂと第２送信部２６Ｂ、第３パケット生成部２２Ｃと第３送信部２６Ｃ、第４パケット生成部２２Ｄと第４送信部２６Ｄが各々接続されるように、接続を切り替える。また、伝送路切替部４２は、第１受信部４０Ａと第１パケット受信部４４Ａ、第２受信部４０Ｂと第２パケット受信部４４Ｂ、第３受信部４０Ｃと第３パケット受信部４４Ｃ、第４受信部４０Ｄと第４パケット受信部４４Ｄの各々が接続されるように接続を切り替える。
【００５９】
これにより、Ｙ色、Ｍ色、Ｃ色、及びＫ色の各色毎に１つの伝送路１６が使用される。図示した例では、Ｙ色の伝送には第１伝送路１６Ａが使用され、Ｍ色の伝送には第２伝送路１６Ｂが使用され、Ｃ色の伝送には第３伝送路１６Ｃが使用され、Ｋ色の伝送には第４伝送路１６Ｄが使用される。
【００６０】
図９（Ａ）及び（Ｂ）に示すように、Ｙ色の画像情報は、第１Ｉ／Ｆ２０Ａを介して第１パケット生成部２２Ａに出力される。第１パケット生成部２２Ａでは、Ｙ色の画像情報に基づいてパケットが生成される。生成されたパケットは、伝送路切替部２４、第１送信部２６Ａ、第１伝送路１６Ａ、第１受信部４０Ａ、伝送路切替部４２を介して伝送され、第１パケット受信部４４Ａで受信される。第１パケット受信部４４Ａでは、パケットからＹ色の画像情報のデータが抽出される。抽出されたＹ色の画像情報は、第１Ｉ／Ｆ４６Ａを介して出力される。
【００６１】
同様に、Ｍ色の画像情報は、第２Ｉ／Ｆ２０Ｂから入力され、第２伝送路１６Ｂを伝送して、第２Ｉ／Ｆ４６Ｂから出力される。Ｃ色の画像情報は、第３Ｉ／Ｆ２０Ｃから入力され、第３伝送路１６Ｃを伝送して、第３Ｉ／Ｆ４６Ｃから出力される。Ｋ色の画像情報は、第４Ｉ／Ｆ２０Ｄから入力され、第４伝送路１６Ｄを伝送して、第４Ｉ／Ｆ４６Ｄから出力される。
【００６２】
また、色毎に複数の伝送路を使用してもよい。図１０（Ａ）及び（Ｂ）は色毎に２つの伝送路を使用する場合の送受信動作を示す模式図である。４つの組が設けられる点は図９（Ａ）及び（Ｂ）に示す例と同じである。図１０（Ａ）及び（Ｂ）に示す例では、第１Ｉ／Ｆ２０Ａと第１パケット生成部２２Ａとの組が、Ｙ色（又はＣ色）に対して使用される。第２Ｉ／Ｆ２０Ｂと第２パケット生成部２２Ｂとの組が、Ｍ色（又はＫ色）に対して使用される。即ち、設けられた４つの組のうち２つの組が使用される。換言すれば、残り２つの組は使用されない。受信装置１４Ａ側についても同様に、対応する２つの組が使用される。
【００６３】
伝送路切替部２４は、第１パケット生成部２２Ａと第１送信部２６Ａ及び第２送信部２６Ｂ、第２パケット生成部２２Ｂと第３送信部２６Ｃ及び第４送信部２６Ｄが各々接続されるように、接続を切り替える。また、伝送路切替部４２は、第１受信部４０Ａ及び第２受信部４０Ｂと第１パケット受信部４４Ａ、第３受信部４０Ｃ及び第４受信部４０Ｄと第２パケット受信部４４Ｂが各々接続されるように、接続を切り替える。
【００６４】
これにより、Ｙ色、Ｍ色、Ｃ色、及びＫ色の色毎に２つの伝送路１６が使用される。図示した例では、Ｙ色（又はＣ色）の伝送には第１伝送路１６Ａ及び第２伝送路１６Ｂが使用され、Ｍ色（又はＫ色）の伝送には第３伝送路１６Ｃ及び第４伝送路１６Ｄが使用される。
【００６５】
図１０（Ａ）及び（Ｂ）に示すように、Ｙ色の画像情報は、第１Ｉ／Ｆ２０Ａを介して第１パケット生成部２２Ａに出力される。第１パケット生成部２２Ａでは、Ｙ色の画像情報に基づいてパケットが生成される。生成されたパケットは、伝送路切替部２４により第１送信部２６Ａ及び第２送信部２６Ｂに分配される。
【００６６】
第１送信部２６Ａに分配されたパケットは、第１伝送路１６Ａ、第１受信部４０Ａ、伝送路切替部４２を介して伝送され、第１パケット受信部４４Ａで受信される。第２送信部２６Ｂに分配されたパケットは、第２伝送路１６Ｂ、第２受信部４０Ｂ、伝送路切替部４２を介して伝送され、第１パケット受信部４４Ａで受信される。第１パケット受信部４４Ａでは、パケットからＹ色の画像情報のデータが抽出される。抽出されたＹ色の画像情報は、第１Ｉ／Ｆ４６Ａを介して出力される。
【００６７】
同様に、Ｍ色の画像情報は、第２Ｉ／Ｆ２０Ｂから入力され、第３伝送路１６Ｃ及び第４伝送路１６Ｄの一方を伝送して、第２Ｉ／Ｆ４６Ｂから出力される。
【００６８】
第２の実施の形態では、第１の実施の形態と同様の効果が得られることに加え、送信対象の情報の属性に応じて複数の生成手段がモジュールとして設けられており、複数の生成手段から使用される生成手段が選択される。即ち、モジュールを変更せずに、送信対象の情報の属性に応じて送信装置の入力端子の数が増減される。例えば、Ｙ色、Ｍ色、Ｃ色、及びＫ色の４色の画像情報の場合には、４つの生成手段が設けられ、色毎に生成手段が使用される。これにより、送信対象の情報を伝送する際の操作性が向上する。
【００６９】
また、第２の実施の形態では、送信対象の情報の属性毎に使用される伝送路が増減される。例えば、１色の画像情報を１つの伝送路で伝送する、１色の画像情報を２つの伝送路で伝送するか等、１色の画像情報をいくつの伝送路で伝送するかが選択される。
【００７０】
１色の画像情報に使用される伝送路の数が多いほど、高速化・大容量化が図られる。一方、１色の画像情報に使用される伝送路の数が少ないほど、製造コストが低減される。
【００７１】
なお、上記の実施の形態で説明した情報伝送システムの構成は一例であり、本発明の主旨を逸脱しない範囲内においてその構成を変更してもよいことは言うまでもない。例えば、送信装置と受信装置とを有する情報伝送システムとして説明したが、送信手段と受信手段とを兼ね備える送受信装置としてもよく、送受信装置間でシリアル伝送を行う情報伝送システムとしてもよい。
【符号の説明】
【００７２】
１０   情報伝送システム
１２   送信装置
１２Ａ 送信装置
１４   受信装置
１４Ａ 受信装置
１６   伝送路
２０   Ｉ／Ｆ
２２   パケット生成部
２４   伝送路切替部
２６   送信部
３０   ８Ｂ／１０Ｂエンコーダ
３２   ＥＣＣエンコーダ
３４   Ｐ／Ｓ変換器
３６   差動ドライバ
４０   受信部
４２   伝送路切替部
４４   パケット受信部
４６   Ｉ／Ｆ
５０   差動レシーバ
５２   Ｓ／Ｐ変換器
５４   ＥＣＣデコーダ
５６   ８Ｂ／１０Ｂデコーダ
６０   誤り検出部
６２   誤り訂正部
【図１】
2015001960.tif 000003
【図２】
2015001960.tif 000004
【図３】
2015001960.tif 000005
【図４】
2015001960.tif 000006
【図５】
2015001960.tif 000007
【図６】
2015001960.tif 000008
【図７】
2015001960.tif 000009
【図８】
2015001960.tif 000010
【図９】
2015001960.tif 000011
【図１０】
2015001960.tif 000012